(57)【要約】  衣料品（例えば、水中「ボード」半ズボン）は、一般的に、複数の縫い目なく隣接する異なる織布部分を有する少なくとも１つの単一の織布パネルから構成される。これらの縫い目なく隣接する異なる織布部分は、平織、綾織及び／又はドビー織から選択され得る。縫い目のないバックライズを提供する上下続きの背面布パネルを含む水中活動用半ズボンが提供される。
2018516319.tif 000002
【特許請求の範囲】
【請求項１】
複数の異なる縫い目なく隣接する織布部分を有する少なくとも１つの単一の織布パネルを備える、衣料品。
【請求項２】
前記隣接する織布部分は、平織、綾織、及びドビー織からなるグループから選択される、請求項１に記載の衣料品。
【請求項３】
前記少なくとも１つの単一の織布パネルは、これらの間のそれぞれの境界面に沿って互いに縫い目なく結合された綾織部分とドビー織部分を備える、請求項１に記載の衣料品。
【請求項４】
前記少なくとも１つの単一の織布パネルは、これらの間のそれぞれの境界面に沿って互いに縫い目なく結合された平織部分と綾織部分を備える、請求項１に記載の衣料品。
【請求項５】
前記少なくとも１つの単一の織布パネルは、上部平織部分、下部ドビー織部分、及びこれらの間のそれぞれの境界面に沿って、前記上部平織部分及び下部ドビー織部分に縫い目なく結合された中間綾織部分を備える、請求項１に記載の衣料品。
【請求項６】
水中活動用半ズボンであって、縫い目のないバックライズを提供する上下続きの背面布パネルを備える、半ズボン。
【請求項７】
前記上下続きの背面布パネルは、縫い目なく隣接する異なる織布部分を備える、請求項６に記載の半ズボン。
【請求項８】
前記縫い目なく隣接する異なる織布部分は、平織、綾織、及びドビー織からなるグループから選択される、請求項７に記載の半ズボン。
【請求項９】
上下続きの左右正面織布パネルをさらに備える、請求項６に記載の半ズボン。
【請求項１０】
前記左右正面織布パネルのそれぞれは、縫い目なく隣接する異なる織布部分から構成される、請求項９に記載の半ズボン。
【請求項１１】
前記左右正面織布パネルの前記縫い目なく隣接する異なる織布部分は、平織、綾織、及びドビー織からなるグループから選択される、請求項１０に記載の半ズボン。
【請求項１２】
前記左右正面織布パネルは、一般的に前記半ズボンの下部端でユーザの膝領域の上に位置付けられた反対側の端を有し、前記ユーザの背面ウエスト領域に隣接して中心に位置付けられた頂点を有する前記ユーザの臀部領域の辺りで上方及び後方に延びる縫い目に沿って、前記背面布パネルに結合される、請求項１０に記載の半ズボン。
【請求項１３】
前記左右正面織布パネルは、縫い目なく隣接する左右背面ウエスト部分を含む、請求項１２に記載の半ズボン。
【請求項１４】
前記左右背面ウエスト部分のそれぞれは、上部及び下部の縫い目なく隣接する織布部分を備える、請求項１３に記載の水中半ズボン。
【請求項１５】
水中活動用半ズボンであって、左右正面織布パネルと、背面織布パネルを備え、ここにおいて、前記左、右及び背面布パネルのそれぞれは、縫い目なく隣接する異なる織布部分を有する上下続きの織布から形成される、半ズボン。
【請求項１６】
前記上下続きの背面布パネルは、縫い目のないバックライズを提供する、請求項１５に記載の半ズボン。
【請求項１７】
前記左右正面織布パネルは、一般的に前記半ズボンの下部端でユーザの膝領域の上に位置付けられた反対側の端を有し、前記ユーザの背面ウエスト領域に隣接して中心に位置付けられた頂点を有する前記ユーザの臀部領域の辺りで上方及び後方に延びる縫い目に沿って、前記背面布パネルに結合される、請求項１６に記載の半ズボン。
【請求項１８】
前記左正面、右正面及び背面織布パネルの前記縫い目なく隣接する異なる織布部分は、平織、綾織、及びドビー織からなるグループから選択される、請求項１５に記載の半ズボン。
【請求項１９】
前記背面織布パネルは、これらの間のそれぞれの境界面に沿って互いに縫い目なく結合された上部綾織部分と下部ドビー織部分を備える、請求項１５に記載の半ズボン。
【請求項２０】
前記背面織布パネルは、これらの間のそれぞれの弓形境界面に沿って、前記上部綾織部分と下部ドビー織部分に縫い目なく結合された横の弓形織布部分をさらに備える、請求項１９に記載の半ズボン。
【請求項２１】
前記横の弓形織布部分は、前記背面布パネルの前記下部ドビー織部分の穿孔と比較して、より小さな穿孔を有するドビー織構造から形成された、請求項２０に記載の半ズボン。
【発明の詳細な説明】
【技術分野】
【０００１】
[0001]  本発明は、２０１５年６月２日に出願された米国特許出願番号第６２／１６９，７９７に基づき、及びここからの優先権を主張し、その内容全体が参照として明示的にここに組み込まれる。
【背景技術】
【０００２】
[0002]  本発明は、一般的に、水中活動、例えば水中スポーツ用半ズボン、水泳用の服装やこれに類するものにおいて有用に用いられ得る衣料品に関連する。好ましい形態において、衣料品は、複数の縫い目なく隣接する異なる織布部分を有する単一の織布パネルで提供される。
【発明の概要】
【０００３】
[0003]  さまざまな水中スポーツ活動（例えば、サーフィン、水上ボード、水上スキー、スキューバダイビングやこれに類するもの）は、水に浸されたときに軽量であって、個人の当事者の動きの完全な自由を可能にする柔軟性を示す衣料品を要求する。通気性がよく（速乾性があり）、かなりの軽量と、サポート力があってさらに高い柔軟性を持つ（口語的に「ボードショーツ（board shorts）」として知られる）水中半ズボン（aquatic shorts）が、特に水中スポーツ好きの人々によって所望される。ここで開示された実施形態は、このような衣類、特に水中半ズボンを提供することに向けられる。
【０００４】
[0004]  ここで衣料品（例えば、水中「ボード」半ズボン）を含めて記述された本発明の実施形態は、一般的に、複数の異なる縫い目なく隣接する織布部分を有する少なくとも１つの単一の織布パネルからなる。これらの縫い目なく隣接する異なる織布部分は、平織（plain fabric weave）、綾織（twill fabric weave）及び／又はドビー織（Dobby fabric weave）から選択され得る。
【０００５】
[0005]  衣料品の少なくとも１つの単一の織布パネルは、これらの間のそれぞれの境界面（interface boundaries）に沿って互いに縫い目なく結合された綾織部分とドビー織部分を備え得る。代替的又は付加的に、少なくとも１つの単一の織布パネルは、これらの間のそれぞれの境界面に沿って互いに縫い目なく結合された平織部分と綾織部分を備え得る。いくつかの実施形態にしたがうと、少なくとも１つの単一の織布パネルは、上部平織部分、下部ドビー織部分、及びこれらの間のそれぞれの境界面に沿って、上部平織及び下部ドビー織部分に縫い目なく結合された中間綾織部分を備え得る。
【０００６】
[0006]  発明のいくつかの実施形態は、縫い目のないバックライズ（back rise）を提供する上下続きの背面布パネルから構成される水中活動用半ズボンに向けられる。好ましくは、上下続きの背面布パネルは、平織、綾織及び／又はドビー織から選択され得る、縫い目なく隣接する異なる織布部分を備えることが好ましい。
【０００７】
[0007]  水中活動用半ズボンのある他の実施形態は、上下続きの左右正面織布パネルを備え得、これらのそれぞれは、縫い目なく隣接する異なる織布部分から構成され得る。例として、左右正面織布パネルの縫い目なく隣接する異なる織布部分は、平織、綾織及び／又はドビー織から選択され得る。
【０００８】
[0008]  あるとすれば、上下続きの左右正面織布パネルは、一般的に半ズボンの下部端でユーザの膝領域の上に位置付けられた反対側の端を有し、ユーザの背面ウエスト領域に隣接して中心に位置付けられた頂点を有するユーザの臀部領域の辺りで上方及び後方に延びる縫い目に沿って、上下続きの背面布パネルに結合され得る。
【０００９】
[0009]  いくつかの実施形態にしたがうと、左右正面織布パネルは、縫い目なく隣接する左右背面ウエスト部分を含む。左右背面ウエスト部分のそれぞれは、上部及び下部の縫い目なく隣接する織布部分を備え得る。
【００１０】
[0010]  発明にしたがった水中活動半ズボンのいくつかの実施形態は、左右正面織布パネルと、背面織布パネルを備え得、ここにおいて、左、右及び背面布パネルのそれぞれは、縫い目なく隣接する異なる織布部分を有する上下続きの織布から形成される。上下続きの背面布パネルは、したがって縫い目のないバックライズを提供し得る。
【００１１】
[0011]  いくつかの実施形態の背面織布パネルは、これらの間のそれぞれの境界面に沿って互いに縫い目なく結合された上部綾織部分と下部ドビー織部分を備え得る。背面織布パネルは、これらの間のそれぞれの弓形境界面に沿って上部綾織部分と下部ドビー織部分に縫い目なく結合された横の弓形の織布部分をさらに備え得る。
【００１２】
[0012]  本発明のこれらの及び他の態様と利点は、この好ましい例示的な実施形態の以下の詳細な記述に対して注意深い考慮が与えられた後、さらに明確になろう。
【００１３】
[0013]  本発明の開示された実施形態は、以下の、図面に関する例示的な限定的でない、説明となる実施形態の詳細な説明を参照することによって、より良く及びより完全に理解されよう。
【図面の簡単な説明】
【００１４】
【図１】[0014]  図１は、人の骨盤と上部太腿領域を覆うように着られたように示された、本発明の実施形態による水中半ズボンの形態における水中スポーツ用衣類の前方正面図である。
【図２】[0015]  図２は、図１において描かれた水中半ズボンの離された前方正面図である。
【図３】[0016]  図３は、図２において描かれた水中半ズボンの後方正面図である。
【図４】[0017]  図４は、図２において描かれた水中半ズボンの左側正面図である。
【図５】[0017]  図５は、図２において描かれた水中半ズボンの右側正面図である。
【図６】[0018]  図６は、図２の水中半ズボンにおいて用いられた左側面布パネルの平面図であり、布パネルの右側布パネルは実質的にその鏡像である。
【図７】[0019]  図７は、図２の水中半ズボンにおいて用いられた背面布パネルの平面図である。
【発明を実施するための形態】
【００１５】
Ａ．定義
[0020]  ここで使用されるとき、及び付随する特許請求の範囲において、以下の用語は以下の定義を有するように意図される。
【００１６】
[0021]  「細糸（filament）」は、最大の又は不確定の長さの繊維状の撚糸を意味する。
【００１７】
[0022]  「繊維（fiber）」は、ステープルファイバのような、一定の又は短い長さの繊維状の撚糸を意味する。
【００１８】
[0023]  「織糸（yarn）」は、多数の細糸又は繊維の集合を意味し、これは織られ、紡がれ、撚られ、又は併置され得る、あるいはされ得ない。
【００１９】
[0024]  「紡績（spinning）」は、牽引することと撚ることの組み合わせ、又はロービングのようなステープルファイバの準備された撚糸による、織糸の編成を意味する。
【００２０】
[0025]  「織布（woven fabric）」は、織糸の２つのセット、縦糸及び横糸から構成され、特定の織パターン（例えば、平織、綾織、繻子織、ドビー織、及びこれに類するもの）において、２つ以上の縦織糸及び横織糸を織り交ぜる（織る）ことによって形成された布を意味する。したがって、縦糸と横糸を織る間、織糸は所望の織りパターンを有する織布を生成するための正しい角度で互いに交差するように織り交ぜられる。
【００２１】
[0026]  「平織（plain weave）」は、織布を意味し、ここにおいて、横織糸が、すぐ隣接する縦織糸の下で、このようなすぐ隣接する縦織糸の下及び上を代替的に通る隣接する横織糸と、それぞれ、代替的に交差する。
【００２２】
[0027]  「綾織（twill weave）」は、１つ以上の縦織糸の上、その後２つ以上の縦織糸の下で、横織糸の繰り返される通過によって形成された、斜めの並行な畝パターンを有する布織を意味する。
【００２３】
[0028]  「ドビー織（Dobby weave）」は、繰り返された幾何学的なパターンと織地を有する織布である。
【００２４】
[0029]  「弾性細糸（elastic filament）」又は「弾性織糸（elastic yarn）」は、その伸張されていない長さの少なくとも約１．５倍、典型的に少なくとも約２倍、及び、より大きい長さまで伸張され得、伸張に続く１時間の弛緩の後に、１００％弾性回復までの、少なくとも約９０％の弾性回復、典型的に少なくとも約９２％の弾性回復を有する細糸／織糸を意味する。
【００２５】
[0030]  「非弾性細糸（inelastic filament）」又は「非弾性横糸（inelastic yarn）」は、何らかの永続的な歪みなしで、その最大に張られた長さを超えて伸張されることができない細糸／横糸を意味する。
【００２６】
Ｂ．例示的な実施形態
[0031]  発明の実施形態にしたがった水中半ズボン１０は、おおよそユーザの骨盤と上部大腿領域で着られるように、図１において示される。水中半ズボン１０は、左右の背面ウエスト部分１２ａ、１４ａ、及び背面パネル１６を有する左右の正面パネル１２、１４を含む、複数の別の上下続きの織物パネルから構成される。パネルは、それぞれ縫い目線１８ａ−１８ｃに沿って互いに密着され得る。水中半ズボンは、任意の従来の締めるシステム（例えば、ＶＥＬＣＲＯ（登録商標）ループ及びパイルファスナ、ジッパー、ボタン及びこれに類するもの）と、ウエスト帯を閉めるための紐２０ｂを用いて閉められる正面ボタン隠し（fly）２０ａを有し得る。背面パネル１６は、その外周に沿ってこの内部領域に対して結合された（示されない）布部分によって形成されたポケットに入るための耐水ジッパー付の開口部２２を含み得る。エラストマーの（ゴムを引かれた）ウエスト帯２４は、ユーザのヒップとウエストが動くにつれて湾曲を提供するために、半ズボン１０の内部ウエスト領域に熱で密着される。ウエスト帯２４はまた、ウエストを通して寸法の安定を提供して、ユーザのウエスト領域からのずれを最小化する。
【００２７】
[0032]  ここで開示された実施形態にとって重要なパネル１２、１４及び１６のそれぞれは、互いに縫い目なく隣接する複数の異なる織布部分を有する単一の（上下続きの）織物構造である。図１〜図６において描かれた実施形態において、左右の正面パネル１２、１４は、上部平織布部分１２−１、１４−１、及び、中間の綾織布部分１２−３、１４−３によって互いからそれぞれ分離された、下部ドビー織布部分１２−２、１４−２を含む。左正面パネル１２の布部分１２−１、１２−２、１２−３のそれぞれと、右正面パネル１４の布部分１４−１、１４−２、１４−３のそれぞれは、上下続きの織布構造である布パネル１２と１４による、それぞれの縫い目のない、これらの間の境界面を形成する。
【００２８】
[0033]  パネル１２、１４の左右背面ウエスト部分１２ａ、１４ａは、上部平織部分１２ａ１、１４ａ１と、下部ドビー織布部分１２ａ２、１４ａ２をそれぞれ含む。左右背面ウエスト部分１２ａ、１４ａの反対側端は、垂直の背面ウエスト縫い目１８ａに沿って互いに熱で密着される。
【００２９】
[0034]  左右の正面パネル１２、１４と同様、背面パネル１６は、互いに縫い目なく隣接する複数の異なる織布部分を有する単一の（上下続きの）織物構造である。背面パネル１６は、連続的な縫い目１８ｂに沿ってパネル１２、１４に熱で密着される。示されるように、縫い目１８ｂは、一般的に、半ズボン１０の下部端でユーザの膝の上に位置付けられた反対側の端を有し、ユーザの背面ウエスト領域に隣接して中心に位置付けられた頂点を有するユーザの臀部領域の辺りで上方及び後方に延びる。縫い目１８ｂによって境界をつけられた背面パネル１６は、互いに縫い目なく隣接する複数の異なる織布部分から構築され、これにより半ズボン１０において縫い目のないバックライズを提供する。描かれた実施形態において、背面パネル１６は、上部綾織布部分１６−１と、下部ドビー織布部分１６−２を含む。横の布部分１６−３ａと１６−３ｂは、布部分１６−２の（より大きな）ドビー織と比較して異なる（より小さい）ドビー織特性を有するドビー織布部分から形成される。横の弓形織布部分１６−３ａ、１６−３ｂは、これらの間のそれぞれの弓形境界面に沿って、上部綾織部分１６−１と下部ドビー織部分１６−２に縫い目なく結合される。
【００３０】
[0035]  半ズボンのパネル１２、１４及び１６の布部分のそれぞれは、異なる伸張特性と伸張軸を提供することによって、ユーザに最適な快適さを与えるように作られる。例として、平織布部分１２−１、１２ａ１、１４−１及び１４ａ−１は、形状を保って、ユーザのウエストと座部領域を支えるために、垂直及び水平軸に沿って軽い（最小の）４方向の伸張を提供するように設計される。平織布部分１２−１、１２ａ１、１４−１及び１４ａ−１のそれぞれは、同じ又は異なる最大伸張特性を有し得る。布部分１２−１、１２ａ１、１４−１及び１４ａ−１について用いられ得る特定の平織布は、１６４×１５６／５０デニールポリエステル＋エラストマー細糸×５０デニールポリエステル織糸＋エラストマー細糸で織られた約１４０ｇｍ／ｍ２の平織構造である。
【００３１】
[0036]  綾織部分１２−３、１４−３及び１６−１は、半ズボン１０の水平及び垂直の軸に沿って伸張する能力がある、丈夫で角のある織りを提供する。好ましくは、綾織部分１２−３、１４−３、及び１６−１は、そこに縫い目なく隣接するそれぞれの平織布部分１２−１、１２ａ１、１４−１及び１４ａ−１と比較して、半ズボンの水平及び垂直軸に沿ってより大きな最大伸張を示す。布部分１２−１、１２ａ１、１４−１及び１４ａ−１について用いられ得る特定の綾織部分は、１６４×１５６／５０デニールポリエステル＋エラストマー細糸×５０デニールポリエステル織糸＋エラストマー細糸で織られた約１４６ｇｍ／ｍ２の綾織構造である。
【００３２】
[0037]  ドビー織部分１２ａ２、１２−２、１４ａ２、１４−２及び１６−２は、半ズボン１０の、垂直、水平及び斜め（４５°傾き）の伸張特性を持つ下部及び非常に高い（loftier）織構造である。ドビー織部分１２ａ２、１２−２、１４ａ２、１４−２及び１６−２の比較的目の粗い織りは、布が湿っていることによるユーザの身体へのくっつきを取り除いて、重さを低減して通気性を促進する反復的な穿孔を生成する。ドビー織部分１２ａ２、１２−２、１４ａ２、１４−２及び１６−２の好ましい実施形態は、互いに対してオフセットで隣接する列における穿孔との、間隔を空けられた穿孔の規則正しい列を与える。上部ドビー織部分１２ａ２、１４ａ２の規格の穿孔寸法と穿孔間の間隔は、下部ドビー織部分１２−２、１４−２、及び１６−２の穿孔寸法と穿孔間の間隔に比較して、比較的小さい（例えば、少なくとも約１０％小さい、又は、少なくとも２０％小さい）ことが好ましい。上部（より小さい）ドビー織部分１２ａ２、１４ａ２のための特定の布は、１６４×１６６／５０デニールポリエステル＋エラストマー細糸×５０デニールポリエステル織糸＋エラストマー細糸で織られた約１５２ｇｍ／ｍ２のドビー布構造であり得る一方、下部（より広い）ドビー織部分１２−２、１４−２及び１６−２のための特定の布は、１６４×１６０／５０デニールポリエステル＋エラストマー細糸×５０デニールポリエステル織糸＋エラストマー細糸で織られた約１３４ｇｍ／ｍ２のドビー布構造である。
【００３３】
[0038]  さまざまなパネル１２、１４及び１６は殆ど、任意の天然又は人工の細糸又は織糸から織られ得る。人工的な織糸が用いられ、ポリアミド（例えば、ナイロン６、ナイロン６．６、ナイロン６、１２及びこれに類するもの）、ポリエステル、ポリオレフィン（例えば、ポリプロピレン、ポリエチレン）及びこれに類するものとともに、同じものの混合物及び共重合体のような任意の所望の繊維形状ポリマーから形成され得ることが好ましい。
【００３４】
[0039]  同様に、任意の所望のエラストマー細糸が、所望の伸張特性を織られたパネル１２、１４及び１６に与えるために用いられ得る。好ましい弾性細糸は、ポリエーテル、ポリエステル、ポリカーボネート及びこれに類するものの、比較的柔らかな区分で典型的に散在された区分化されたポリウレタンの重さによって、少なくとも８５％から構成された長鎖合成エラストマーから形成されたスパンデックス細糸である。特に好ましいスパンテックス細糸は、約４０から約７０のデニール、典型的に約５０のデニールを有する商品名ＬＹＣＲＡ（登録商標）の下で商業上利用可能である。エラストマーと非エラストマー細糸及び織糸の組み合わせも用いられ得る。例えば、１つ以上のエラストマー細糸は、非弾性繊維又は細糸、例えばポリエステルで共に紡がれ、包まれ、又は覆われ得る。
【００３５】
[0040]  織られたパネル１２、１４及び／又は１６は、以下のデータによって示されるように、（ここで参照によって完全に組み込まれた）ＡＳＴＭＤ３１０７−２００７（２０１１）にしたがって測定された、伸張及び伸張に続く弾性回復の両方を示す。
【００３６】
【表１】
2018516319.tif 000003
【００３７】
[0041]  この発明は、開示された実施形態に限定されるものではなく、それどころか、添付された特許請求の範囲の精神と範囲内に含まれるさまざまな修正と同等の構成を包含するように意図される。
【図１】
2018516319.tif 000004
【図２】
2018516319.tif 000005
【図３】
2018516319.tif 000006
【図４】
2018516319.tif 000007
【図５】
2018516319.tif 000008
【図６】
2018516319.tif 000009
【図７】
2018516319.tif 000010
【国際調査報告】
2018516319.tif 000011